(57)【要約】【課題】本発明は、簡単な構造で、冷気を効率的に、ラック１内部へ平均的に供給することのできるマウントアングル３を提供することを目的としている。【解決手段】本発明に係るラックのマウントアングル３は、断面略コ字状に形成されているマウントアングル３の一方の開放辺４を蓋体５で閉塞して筒状に形成すると共に、一部には開口７を設け送風機構を具備することを特徴とし、エアコンディショナからの冷気を効率的にラック内に供給する。【選択図】図１
2008071965.tif 000002
【特許請求の範囲】
【請求項１】
ラック内に設けられ、各種通信機器、電気機器をラックに収納するためのマウントアングルであって、断面略コ字状に形成されているマウントアングルの一方の開放辺を蓋体で閉塞して筒状に形成すると共に、一部には開口を設け送風機構を具備することを特徴とするマウントアングル。
【請求項２】
前記マウントアングルであって、前記開口は蓋体により開放、閉塞を選択可能としたことを特徴とする請求項１に記載のマウントアングル。
【発明の詳細な説明】
【技術分野】
【０００１】
本発明は、ラック内に設けられ、各種通信機器、電気機器をラックに収納するためのマウントアングルに関するものである。
【背景技術】
【０００２】
ラック３１に収納される通信機器や電気機器３２は前面をマウントアングル３３にねじ止め等により固定するものが多い。機器３２が動作することでラック３１内の温度は上昇しやすい状況である。ラック３１内の温度上昇を抑えるため、ラック３１の下方にエアコンディショナ３４を設置することもある。
【０００３】
また、効率よくラック３１内を冷却するために、ラック３１の寸法に合わせて形成された専用の送風ダクト３５をラック３１に取り付けたり、ラックの扉を袋形状に形成し、そこへ冷気を送り込んでラックへ送風していた。
【特許文献１】特開２００４−１６５５２８号公報
【特許文献２】特開２００５−１９８５７号公報
【特許文献３】特開２００５−１９８５６号公報
【特許文献４】特開２００５−５６５１号公報
【発明の開示】
【発明が解決しようとする課題】
【０００４】
しかしながら上記従来のラック３１の機構では、ラック３１内の温度上昇を効率よく抑えることができず、特に、ラック３１の上方部にまで冷気が到達できず、暖かいままの空気を機器が吸気することになり、温度上昇を助長させていた。また、ラック３１内部には機器３２の配線や機器３２の突起体があり、専用のダクト３５を取り付けようとすると、ラック３１前面の有効スペースを損なってしまうという欠点があった。
【課題を解決するための手段】
【０００５】
本発明は、簡単な構造で、冷気を効率的に、ラック内部へ平均的に供給することのできるマウントアングルを提供することを目的とし、その構造は、断面略コ字状に形成されているマウントアングルの一方の開放辺を蓋体で閉塞して筒状に形成すると共に、一部には開口を設け送風機構を具備することを特徴とする。
【０００６】
また、開口は蓋体により開放、閉塞を選択可能としたことを特徴とする。
【発明の効果】
【０００７】
以上述べたように本発明に係るラックのマウントアングルは、断面略コ字状に形成されているマウントアングルの一方の開放辺を蓋体で閉塞して筒状に形成すると共に、一部には開口を設け送風機構を具備するため、ラックに設置されたクーラーからの冷気を効率よくラックの上方部から下方部まで平均的に供給することができ、ラック内の温度上昇を抑えることができる。もともと機器取り付け用として用いていたマウントアングルに、送風機構を持たせたため、ラック内のスペースを無駄なく使用することができ、配線作業の邪魔にならず、また、機器の突起や入力線の障害にならずに送風が可能となる。
【０００８】
また、開口は蓋体により開放、閉塞を選択可能としたため、機器が取り付いている部分のみ開口を開放して冷気を送ることができ、冷気を無駄なく利用できる。
【発明を実施するための最良の形態】
【０００９】
本発明は、省スペースでラック内の温度上昇を平均的に抑えることのできる送風機構を、機器を取り付けるためのマウントアングルに持たせ、最小の部品点数で配線作業に支障を来たさないように実現した。
【実施例１】
【００１０】
本発明に係るマウントアングルの実施例を図１〜図３の添付図面に基いて説明する。
【００１１】
通信機器や電気機器等を収納するためのラック１は、機器２を取り付けるためのマウントアングル３がラック１内に設けられ、機器２の前面側をねじ止め等によりマウントアングル３に固定して用いられる。
【００１２】
従来のマウントアングル３は断面略コ字状に折曲形成され、一辺は開放辺４となっている。本発明においては、この開放辺４を蓋体５で閉塞し、マウントアングル３を筒状に形成する。マウントアングル３の前面側には固定用穴６を設け、この固定用穴６を用いて機器２を固定する。
【００１３】
通信機器や電気機器は前面側から給気し背面側へ排気するのが一般的で、機器２の前面側には給気のためのファンが設けられていることもある。マウントアングル３の前面側には、固定用穴６の他に、筒状部に複数の開口７を設ける。ラック１の下方にエアコンディショナを設置した場合、エアコンディショナから排出される冷気は、マウントアングル３の筒状部を通ってラック１の上方まで送られる。マウントアングル３に設けられた開口７から冷気が排出され、機器２の前面側へ冷気を送ることができる。その冷気を機器２が給気させることで、機器２の発熱によるラック１内の温度上昇を抑える。
【実施例２】
【００１４】
マウントアングル３の前面側に設けた開口７は、蓋体５により開放、閉塞の状態を選択することができる。蓋体５は、蓋部５ａと壁部５ｂと固定部５ｃとを折曲形成する。開口７を開放状態にする場合、蓋体５をマウントアングル３から引き出し、固定部５ｃをマウントアングル３に固定する。その時、蓋体５の壁部５ｂがマウントアングル３の前面に突出する。壁部５ｂが空気を遮り、開口７から排出された冷気をラックの外側へ逃さないようにしている。開口７を閉塞状態にする場合、蓋体５をマウントアングル３内に配置した状態で固定部５ｃをマウントアングル３に固定する。
【００１５】
マウントアングル３に設けられる開口７は複数あり、それぞれが蓋体５により開閉が可能であるので、搭載機器２の固定されている位置近傍にある開口５のみ、開放状態することもできる。機器２を取り付けない部分の開口５は閉塞状態とすることで、マウントアングル３を伝ってきた冷気を、冷却したいところにだけに排出することができ、効率的である。
【００１６】
本発明に係るマウントアングルの蓋体５は図２に示すように、蓋部５ａ、壁部５ｂ、固定部５ｃから成る形状に限定されるものではなく、本発明の趣旨を逸脱しない範囲において適宜変更可能である。
【産業上の利用可能性】
【００１７】
図３に示すように、本発明に係るマウントアングル１１は、筒状であるため、内側に通信線や電源線１２を収納することも可能である。機器１３の搭載数が増すにつれ、通信線や電源線１２の本数も増加する。そこで、本発明に係る送風機構を有するマウントアングル１１に配線を収納し、ラック１４内の配線を美観を損ねずまとめる。ラック１４の限られたスペースを有効に活用できる。
【図面の簡単な説明】
【００１８】
【図１】本発明に係るマウントアングルをラックに取り付けた状態を示す説明図である。（実施例１、実施例２）
【図２】本発明に係るマウントアングルの構造を示す示す説明図である。（実施例１、実施例２）
【図３】本発明に係るマウントアングルに配線を収納した状態を示す説明図である。
【図４】従来のラックの空気の循環を示す説明図である。
【図５】従来のラックの空気の循環を示す説明図である。
【符号の説明】
【００１９】
１    ラック
２    機器
３    マウントアングル
４    開放辺
５    蓋体
５ａ  蓋部
５ｂ  壁部
５ｃ  固定部
６    固定用穴
７    開口
１１  マウントアングル
１２  通信線や電源線
１３  機器
１４  ラック
【図１】
2008071965.tif 000003
【図２】
2008071965.tif 000004
【図３】
2008071965.tif 000005
【図４】
2008071965.tif 000006
【図５】
2008071965.tif 000007